(57)【要約】【課題】  リモコンなどの外部装置に十分な電力を供給するとともに、外部装置と本体（電気機器）との間で、大容量のデータの送受信ができるようにする。【解決手段】  電気機器（本体）１の外部装置１０として、この本体１に対して制御信号やデータを転送する機器１０を、本体１に設けられた接続口２又は本体１と伝送媒体８で連結した接続装置７に設けられた接続口２に接続する構成とした。  上記接続口２には、データ通信用接続部３及び電力供給用接続部４が設けられ、外部装置１０側に設けられたデータ通信用接続部１３及び電力供給用接続部１４と各々接触して、外部装置１０と本体１間で双方向にデータ通信が行えるようにした。【選択図】        図１
2007049619.tif 000002
【特許請求の範囲】
【請求項１】
遠隔操作機器からの赤外線を受光する受光部と、
放送波及び／又は電気通信回線を通じてデータを受信する受信部と、
前記遠隔操作機器と接続するデータ通信用接続部と、
該データ通信用接続部を介して前記遠隔操作機器とデータの送受信を行なうデータ通信部と、
前記遠隔操作機器と接続する電力供給用接続部と、
前記電力供給用接続部を介して前記遠隔操作機器に電力を供給する電力供給部と、
前記受光部で受光された赤外線に含まれる制御信号に基づいて所定の処理を行ない、また、自機器と前記遠隔操作機器との間で行われる、前記データ通信用接続部を介したデータの送受信及び電力供給用接続部を介した電力の供給を制御する制御部
を備えたことを特徴とする電気機器。
【請求項２】
前記遠隔操作機器と接続するデータ通信用接続部と、前記遠隔操作機器と接続する電力供給用接続部が、前記電気機器本体と伝送媒体で接続された接続装置に設けられている
ことを特徴とする請求項１に記載の電気機器。
【請求項３】
前記制御部は、前記遠隔操作機器と自機器が前記データ通信用接続部を介して接続されたことを検出した場合、前記遠隔操作機器からの要求に応じて、前記データ通信用接続部を介して前記遠隔操作機器に前記データを転送する
ことを特徴とする請求項１又は２に記載の電気機器。
【請求項４】
前記制御部は、前記遠隔操作機器と自機器が前記データ通信用接続部を介して接続されたことを検出した場合、前記データ通信用接続部を介して前記遠隔操作機器から送られるデータを受信する
ことを特徴とする請求項１又は２に記載の電気機器。
【請求項５】
利用者の入力操作に対応して赤外線を発光する発光部と、
前記電気機器と接続するデータ通信用接続部と、
該データ通信用接続部を介して前記電気機器とデータの送受信を行なうデータ通信部と、
前記電気機器と接続する電力供給用接続部と、
前記電力供給用接続部を介して前記電気機器から電力の供給を受ける電源回路部と、
前記利用者の入力操作内容に基づいて前記発光部より赤外線を出力し、また、自機器と前記電気機器との間で行われる、前記データ通信用接続部を介したデータの送受信及び電力供給用接続部を介した受電を制御する制御部
を備えたことを特徴とする遠隔操作機器。
【請求項６】
前記制御部は、前記電気機器と自機器が前記データ通信用接続部を介して接続されたことを検出した場合、前記データ通信用接続部を介して前記電気機器に対し前記データの送信を要求し、前記電気機器から前記データを受信する
ことを特徴とする請求項５に記載の遠隔操作機器。
【請求項７】
前記制御部は、前記電気機器と自機器が前記データ通信用接続部を介して接続されたことを検出した場合、前記データ通信用接続部を介して前記電気機器に対しデータを送信する
ことを特徴とする請求項５に記載の遠隔操作機器。
【請求項８】
平面上に記載された情報を読み取る検出部を備え、
前記制御部は、前記検出部で読み取られた情報からなるデータを、前記データ通信用接続部を介して前記電気機器へ送信する
ことを特徴とする請求項５に記載の遠隔操作機器。
【請求項９】
遠隔操作機器と、該遠隔操作機器からの赤外線を受光し、その赤外線に含まれる制御信号に基づいて所定の処理を行なう電気機器からなるデータ通信システムであって、
前記電気機器は、
前記遠隔操作機器と接続するデータ通信用接続部と、
該データ通信用接続部を介して前記遠隔操作機器とデータの送受信を行なうデータ通信部と、
前前記遠隔操作機器と接続する電力供給用接続部と、
前記電力供給用接続部を介して前記遠隔操作機器に電力を供給する電力供給部を備え、
また、前記遠隔操作機器は、
前記電気機器と接続するデータ通信用接続部と、
該データ通信用接続部を介して前記電気機器とデータの送受信を行なうデータ通信部と、
前記電気機器と接続する電力供給用接続部と、
前記電力供給用接続部を介して前記電気機器から電力の供給を受ける電源回路部を備え、
前記電気機器と前記遠隔操作機器を接続し、前記電気機器及び前記遠隔操作機器の各々のデータ通信用接続部を介して双方向のデータ通信を行ない、また、前記電気機器及び前記遠隔操作機器の各々の電力供給用接続部を介して前記電気機器から前記遠隔操作機器へ電力を供給する
ことを特徴とするデータ通信システム。
【請求項１０】
遠隔操作機器と、該遠隔操作機器からの赤外線を受光し、その赤外線に含まれる制御信号に基づいて所定の処理を行なう電気機器との間で行われるデータ通信方法であって、
前記遠隔操作機器がデータ受信待機状態で前記電気機器と接続されたことを、前記電気機器が検出するステップと、
前記電気機器と前記遠隔操作機器が接続されたことを検出した場合、前記電気機器内に保存されているデータに関する情報を前記遠隔操作機器に送信するステップと、
前記遠隔操作機器が、前記電気機器に保存されているデータに関する情報を受信した後、前記電気機器へデータの転送要求を送信するステップと、
前記電気機器が、前記遠隔操作機器からのデータ転送要求に応じて、前記遠隔操作機器へ要求されたデータを転送するステップ
から構成されることを特徴とするデータ通信方法。
【発明の詳細な説明】
【技術分野】
【０００１】
本発明は、赤外線により制御される電気機器、赤外線を出力する遠隔操作機器、これら電気機器及び遠隔操作機器から構成されるデータ通信システム、及びこのデータ通信システムにおいて行われるデータ通信方法に関する。
【背景技術】
【０００２】
従来、テレビジョン放送受像機や、ビデオテープレコーダやＤＶＤレコーダ（以下、総称して「レコーダ」という。）など、多くの電気機器には、外部装置としてリモコン（リモートコントローラ（遠隔操作機器））などが装備されている。リモコンは、ボタンやダイヤルなどの機構を持ち、それらを操作することによって、本体（電気機器）に対して赤外線通信による制御信号を送信することができる。
【０００３】
例えば、リモコンを使用したものとして、本体のスロットにワイヤレスリモコンが挿入されたことを検出すると、本体の動作モードを切り換え、ワイヤレスリモコンの挿入時に本体の電源オフ、取り出し時に本体の電源オンとするように構成されたワイヤレスリモコン使用機器が提案されている（例えば、特許文献１）。
【０００４】
上記特許文献１に記載されたものによれば、ワイヤレスリモコンの紛失を低減することができ、電池交換の困難性を解消することができる。
【特許文献１】特開２００２−１８６０５９号公報
【発明の開示】
【発明が解決しようとする課題】
【０００５】
ところで、特許文献１に記載のように、従来のリモコンは、乾電池によって電力を確保し、赤外線によって本体と通信することから、電力消費及び赤外線のデータ転送レートの問題により、本体から大容量のデータを受信したり、それによって情報処理を行なうといった高度な機能は付加することができなかった。
【０００６】
本発明は斯かる点に鑑みてなされたものであり、リモコンなどの外部装置に十分な電力を供給するとともに、外部装置と本体（電気機器）との間で、大容量のデータの送受信ができるようにすることを目的とする。
【課題を解決するための手段】
【０００７】
上記課題を解決するため、本発明は、電気機器（本体）の外部装置として、この本体に対して制御信号やデータを転送する機器を、本体に設けられた接続口又は本体と伝送媒体で連結した接続装置に設けられた接続口に接続する構成とした。
上記接続口には、データ通信用接続部及び電力供給用接続部が設けられ、外部装置側に設けられたデータ通信用接続部及び電力供給用接続部と各々接触して、外部装置と本体間で双方向にデータ通信が行えるようにした。
【０００８】
上記構成によれば、本体の持つデータを外部装置に転送し、利用することができる。また、本体が持つ別の手段、例えば放送波などから取得したデータを、外部装置に転送し、利用することができる。
【０００９】
また、外部装置が持つデータを本体に転送し、利用することができる。また、外部装置が別の手段、例えばセンサによって取得したデータを、本体へ転送することができる。
【００１０】
また、接続口に接続された外部装置に対し本体から電力を供給することができる。これにより、消費電力の大きいデータの処理、すなわち容量の大きいデータの処理が行える。
【発明の効果】
【００１１】
本発明によれば、リモコンなどの外部装置に十分な電力を供給できるとともに、外部装置と本体（電気機器）との間で、大容量のデータの送受信ができる。
【発明を実施するための最良の形態】
【００１２】
以下、本発明を実施するための最良の形態の例を説明するが、本発明はこれらの例に限定されるものではない。
【００１３】
図１は、本発明の一実施の形態例に係る機器構成例を示す図（その１）である。図１に示すように、電気機器（以下、「本体」という。）１と、本体１に対して制御信号やデータを送受信する外部機器（以下、「外部装置」という。）１０によりデータ通信システムを構成する。本体１には、外部装置１０からの赤外線を受光する受光部５と、外部装置１０を接続するための接続口（挿入口）２が設けられている。この外部装置１０としては、本体１に対して例えば赤外線による制御信号を出力するリモコン（遠隔操作機器）などが適用できる。
【００１４】
本体１の接続口２には、外部装置１０との間でデータを送受信するためのデータ通信用接続部３と、外部装置１０に対して電力を供給するための電力供給用接続部１２が設けられている。
【００１５】
本体１は、ＬＡＮ（Local Area Network）６を通じてインターネット等の公衆回線網と接続し、種々のデータを受信することができる。また、後述する放送波受信装置を備え、放送波を受信することができる。
【００１６】
一方、外部装置１０は、データ通信用接続部１１、電力供給用接続部１２を備え、外部装置１０を本体１の接続口２に接続した際に、外部装置１０と本体１における各々のデータ通信用接続部１１，３と、電力供給用接続部１２，４がそれぞれ接触して接続するように構成されている。
【００１７】
また、外部装置１０は、利用者の入力操作に対応して赤外線を出力する発光部１３、情報を得るセンサ１４を備えている。センサ１４としては、例えば通常のバーコード又は２次元バーコードの情報を読み取るバーコードリーダなどが適用可能である。
【００１８】
外部装置１０を本体１の接続口２に接続することで、本体１が外部装置１０に格納された電源回路部に電力の供給を行なうとともに、本体１の持つデータを外部装置１０に転送、又は外部装置１０から本体１へデータを転送することができる。
【００１９】
図２は、図１の例において、本体１に設けられていた接続口２を、本体１と伝送媒体（有線）８で接続された接続装置７に設けたものである。接続装置７の接続口２には、接続口２に挿入された外部装置１０と接続するデータ通信用接続部３と、接続口２に挿入された外部装置１０と接続する電力供給用接続部４が設けられている。
【００２０】
外部装置１０を、接続装置７の接続口２に挿入することで、接続装置７及び伝送媒体８を介して外部装置１０と本体１を接続することができる。接続装置７は、本体１と外部装置１０を中継する中継手段としての役割を担っている。
【００２１】
伝送媒体８には、例えば、ＵＳＢ（Universal Serial Bus）インターフェイスに用いられるＵＳＢケーブル、あるいは他の通信インターフェイス（ＲＳ−２３２ＣあるいはＩＥＥＥ１３９４等）用の通信ケーブルなどが適用できる。
【００２２】
以降、図２に示した機器構成例を参照して、本発明を説明する。図３は、本体（電気機器）１のブロック構成例を示す図である。本体１は、赤外線受光部５、放送波受信装置２１、ＬＡＮ接続装置２２、表示装置２３、入出力Ｉ／Ｆ２４、電源回路部２５、不揮発メモリ２６、揮発メモリ２７、制御部２８、情報処理部２９から構成されている。
【００２３】
赤外線受光部５は、外部装置１０から送信された赤外線を受信し、その赤外線から制御信号を抽出して、制御部２８へ出力する。赤外線通信の規格としては、例えば、ＩｒＤＡ（Infrared Data Association）などが適用できる。
【００２４】
放送波受信装置２１は、各種の放送波を受信する受信部であり、放送波としては例えば、（アナログ、デジタル）地上波テレビジョン放送や、ＢＳ放送、ＣＳ放送、ＡＭラジオ放送、ＦＭラジオ放送などがある。
【００２５】
ＬＡＮ接続装置２２は受信部として機能し、ＬＡＮ６（図２参照）を通じてインターネット等の公衆回線網に接続して、ＩＰ（Internet Protocol）データなどの各種データを受信する。
【００２６】
表示装置（ディスプレイ）２３は、例えば液晶表示装置からなり、放送波受信装置２１又はＬＡＮ接続装置２２で受信したデータや、接続装置７を介して外部装置１０から受信したデータなど、を表示する。
【００２７】
入出力Ｉ／Ｆ２４は、接続装置７（接続口２）と接続しており、接続装置７のデータ通信用接続部３を通じて外部装置１０との間でデータの送受信を行なう。
【００２８】
電源回路部（電源供給部）２５は、接続装置７に接続しており、本体１の制御部２８を通じて各部へ電力を供給するとともに、制御部２８の指令により接続装置７を介して外部装置１０へ電力を供給する。
【００２９】
不揮発メモリ２６は、制御部２８が従うべき制御プログラムが格納されている。また、本体１が外部から受信したデータなどを保存する。
【００３０】
揮発メモリ２７は、制御部２８が不揮発メモリ２６上のプログラムに従い所定の処理を行なう際に使用する作業領域（ワークエリア）として機能する。
【００３１】
制御部２８は、本体１全体の制御を司り、不揮発メモリ２６に格納されている制御プログラムに従い、各部の制御及び所定の処理を行なう。また、制御部２８は、外部へのデータの送信及び外部からのデータの受信を制御する。
【００３２】
情報処理部２９は、上記制御部２８と連携し、指定されたデータに対して所定の処理を行なう。例えば、一例として、放送波受信装置２１又はＬＡＮ接続装置２２により受信して、不揮発メモリ２６に保存しておいた電子番組表（ＥＰＧ）のデータを、表示装置２３に表示できる形式に処理する。また、利用者により選択された内容に応じた処理を行なう。
【００３３】
続いて、図４は、外部装置（外部機器）１０のブロック構成例を示す図である。外部装置１０は、赤外線発光部１３、センサ１４、キー入力装置３１、タッチパネル３２、表示装置３３、入出力Ｉ／Ｆ３４、電源回路部３５、不揮発メモリ３６、揮発メモリ３７、制御部３８、情報処理部３９から構成されている。
【００３４】
赤外線発光部１３は、利用者による入力操作がなされると、それに対応した制御信号を赤外線に重畳して出力する。
【００３５】
センサ１４は、情報を読み取る手段であり、例えばバーコードの情報を読み取るバーコードリーダなどが適用される。
【００３６】
キー入力装置３１は、入力操作が行われるボタンやダイヤルなどからなる。また、タッチパネル３２は、表示装置３３の裏面に設けられ、表示装置３３の表示面を指などで押圧することにより、所望の入力操作が行なえる。
【００３７】
表示装置（ディスプレイ）３３は、例えば液晶表示装置からなり、本体１から受信した電子番組表など、各種のデータを表示する。
【００３８】
入出力Ｉ／Ｆ３４は、データ通信用接続部１１を介して接続装置７（接続口２）と接続する。そして、接続口２のデータ通信用接続部３を通じて本体１との間でデータの送受信を行なう。
【００３９】
電源回路部３５は、電力供給用接続部１２を介して接続装置７（接続口２）と接続する。そして、接続口２の電力供給用接続部４を通じて本体１から電力の供給を受ける。
【００４０】
不揮発メモリ３６は、制御部３８が従うべき制御プログラムが格納されている。また、本体１が外部から受信したデータなどを保存する。
【００４１】
揮発メモリ３７は、制御部３８が不揮発メモリ３６上のプログラムに従い所定の処理を行なう際に使用する作業領域（ワークエリア）として機能する。
【００４２】
次に、上述した機器構成による動作について説明する。
【００４３】
図５は、本体１から外部装置１０へのデータ転送の一例を示した図である。図５に示すように、本体１において、ＬＡＮ接続装置２２（図３参照）によりＬＡＮ６にアクセスして、又は放送波受信装置２１（図３参照）により放送波を受信して、データを取得する。データの例として、例えばソフトウェアプログラム、電子番組表などがある。
【００４４】
受信したソフトウェアプログラムや電子番組表のデータは、伝送媒体８を介して、接続装置７に転送され、接続装置７に装着されている外部装置１０に送られる。
【００４５】
上記ソフトウェアプログラムの一例として、例えば、外部装置１０上で動作するソフトウェアのバグのパッチ（改善プログラム）、機能追加等に関するアップデートプログラムなどがある。あるいは、外部装置１０上で動作するゲームのプログラムなどでもよい。
【００４６】
このように、本体１が予め所持していたデータを外部装置１０で参照できるともに、本体１の持つデータの受信機能を間接的に利用することができる。
【００４７】
従来、本体１により放送用の電波又は公衆回線網から電子番組表のデータを受信したり、放送波内からソフトウェアのプログラムデータを取得することで、本体１のソフトウェアの不具合を修正したり、機能を追加、改善することができるが、リモコンそのものでは、これらのデータを利用することができなかった。
【００４８】
そこで、本発明を用いることにより、外部装置１０（例えばリモコン）そのもので、本体１が取得した電子番組表を参照したり、本体１に設定されている予約情報などを取得したり、外部装置１０のソフトウェアに対して不具合の修正や機能の追加を行ったりすることが可能になる。
【００４９】
図６は、外部装置１０から本体１へのデータ転送の一例を示した図である。外部装置１０を接続することにより、本体１に対して外部装置１０の持つデータを転送する。
【００５０】
一例として、図６に示すように、利用者が、外部装置１０のセンサ１４によりバーコード情報を紙上などから読み取り、不揮発性メモリ３６に保存する。あるいは、キー入力装置３２を操作して、インターネット上のＵＲＬ（Uniform Resource Locator）情報を入力し、不揮発性メモリ３６に保存する。そして、外部装置１０を接続装置７に装着して、外部装置１０と本体１を接続し、これら外部装置１０で取得したバーコードやＵＲＬの情報を本体１へ送信する。
【００５１】
このように、一般的に使われている赤外線による制御信号だけでなく、バーコード等から得られるより大きな容量のデータを処理、転送することができる。
【００５２】
図７は、外部装置１０と本体１間での双方向通信の一例を示したものである。図５と図６の例を組み合わせて利用することにより、本体１で受信したデータを外部装置１０に転送して外部装置１０で処理し、処理されたデータを本体１に戻すという利用方法が実現できる。
【００５３】
一例として、図７に示すように、外部装置１０で、本体１から取得した電子番組表や予約情報のデータを使って視聴や録画予約を行い、また、外部装置１０において所望の番組を予約し、その予約情報を本体１に送信するといったことができる。
【００５４】
例えば、ＩｒＤＡでは、ＩｒＤＡ１．１規格で、データレートが１.１５２Ｍｂｐｓ又は４Ｍｂｐｓであるが、伝送媒体８を利用してそれ以上のデータ容量を持つデータ、例えばソフトウェアプログラムのデータなどの送受信が行える。
【００５５】
次に、本体１から外部装置１０へデータを送信する際の処理について、ソフトウェアアップデート処理を例に挙げて説明する。ソフトウェアアップデートのデータとしては、例えば、外部装置１０のソフトウェアの機能向上、あるいはバグ修正（パッチ）などが適用される。
【００５６】
外部装置１０のソフトウェアアップデート処理を示すシーケンス図を、図８に示す。まず、予め本体１は、放送波受信装置２１又はＬＡＮ接続装置２２により、外部装置１０上で動作するソフトウェアに適用されるアップデート用データをダウンロードする（ａ）。受信したデータは、制御部２８及び情報処理部２９にて解析し、不揮発メモリ２６に保存する（ｂ）。
【００５７】
一方、外部装置１０をソフトウェアアップデート待機状態に設定し（ｃ）、この設定状態で外部装置１０を接続装置７の接続口２（図２参照）に挿入し、接続装置７を介して外部装置１０と本体１を接続する（ｄ）。このソフトウェアアップデート待機設定は、利用者により設定可能である。
【００５８】
本体１は、外部装置１０が接続されたことを検出するとともに、外部装置１０がソフトウェアアップデート待機状態であることを検出する（ｅ）。これを受けて、本体１は、外部装置１０に対し、アップデートプログラムのデータを転送する（ｆ）。
【００５９】
外部装置１０は、伝送媒体８及び接続装置７を介して、本体１からアップデートプログラムのデータを受信（ｇ）すると、アップデート完了通知を（ｈ）を本体１に返信し、動作を終了する。
【００６０】
図９は、図８に示したソフトウェアアップデート時の各機器、すなわち外部装置１０及び本体１による処理を示すフローチャートである。以下の外部装置１０と本体１との間の制御信号及びデータの送受信は、各々のデータ通信用接続部３，１１、接続装置７、伝送媒体８を介して行われる。
【００６１】
はじめに、外部装置１０の制御部３８は、外部装置１０がソフトウェアアップデート待機設定であるか否かを判定する（ステップＳ１）。ここで、ソフトウェアアップデート待機設定ではない場合、通常の接続状態、つまり通常のデータ通信が行われる状態へ移行する。
【００６２】
上記ステップＳ１の判断処理において、ソフトウェアアップデート待機設定の場合、利用者が、外部装置１０を接続装置７の接続口２に挿入し、外部装置１０と接続装置７を接続する（ステップＳ２）。
【００６３】
一方、本体１では、予め放送波受信装置２１又はＬＡＮ接続装置２２により、外部装置１０上で動作するソフトウェアに適用されるアップデート用データをダウンロードして取得する（ステップＳ１１）。取得したデータは、制御部２８及び情報処理部２９にて解析し、不揮発メモリ２６に保存しておく。
【００６４】
本体１の制御部２８は、外部装置１０が接続装置７に接続されたことを検出するとともに、外部装置１０がソフトウェアアップデート待機状態に設定されていることを検出する（ステップＳ１２）。これを受けて、本体１は、外部装置１０に対し、不揮発メモリ２６に格納しているソフトウェアアップデート用のデータを検索し、その一覧を外部装置１０に送信する（ステップＳ１３）。
【００６５】
外部装置１０は、本体１からソフトウェアアップデート用のデータ一欄を受信し、その一覧に対象とするソフトウェアのアップデートデータが含まれているか否かを判定する（ステップＳ３）。ここで、対象とするアップデートデータが無い場合には、通常の接続状態へ移行する。
【００６６】
上記ステップＳ３の判断処理において、対象とするアップデートデータが有る場合、そのアップデートデータを本体１に対してリクエストする（ステップＳ４）。
【００６７】
本体１は、外部装置１０からのデータリクエストを受信すると、データ送信待機状態に移行（ステップＳ１４）した後、ソフトウェアアップデート用のデータを外部装置１０へ転送する（ステップＳ１５）。
【００６８】
外部装置１０では、本体１から送信されたソフトウェアアップデート用のデータを受信（ステップＳ５）すると、受信したデータの状態をチェックする（ステップＳ６）。このとき、受信したデータが破損あるいは完全なものでない場合は、ステップＳ４のデータリクエスト処理に戻り、本体１に対し再度データリクエスト処理を行なう。
【００６９】
上記ステップＳ６の判断処理において、受信したデータが正常である場合、受信したデータを不揮発メモリ３６へ保存し、データの受信が完了した旨の通知を、本体１へ送信する（ステップＳ７）。
【００７０】
本体１では、外部装置１０からのデータ受信完了通知を受け取り、外部装置１０に転送したソフトウェアアップデート用のデータを、不揮発メモリ２６から削除して（ステップＳ１６）、通常の接続状態へ移行する。
【００７１】
そして、外部装置１０では、本体１から受信したソフトウェアアップデート用のデータを用いて、ソフトウェアのアップデート処理を行ない、アップデート処理終了後、通常の接続状態に移行する。
【００７２】
上述した実施の形態例では、データ通信用接続部３及び電力供給用接続部４が接続装置７に設けられた形態（図２参照）を例に説明したが、データ通信用接続部３及び電力供給用接続部４が本体１に直接設けられている形態（図１参照）でも、本質的に同様な処理、動作が行われる。
【００７３】
以上説明したように、上記実施の形態例においては、ある電気機器（本体）の外部装置として、電気機器（本体）１に対して制御信号やデータを転送する機器（例えばリモコン）を、本体１に設けられた接続口２又は本体１と伝送媒体８で連結した接続装置７に設けられた接続口２に直接接続し、本体１及び外部機器１０間で双方向にデータ通信を行なえるようにした。この接続口２には、電力供給用の接続部が設けられている。
【００７４】
上記構成とすることにより、本体１の持つデータを外部装置１０に転送し、利用することができる。例えば、本体１の使用履歴、予約データなどを参照できる。
【００７５】
また、本体１が持つ別の手段、例えば放送波受信装置２１やＬＡＮ接続装置２２等によって取得したデータを、外部装置１０に転送し、利用することができる。例えば、本体が放送波又は公衆回線網から取得した電子番組表を、外部装置１０で参照できる。また、本体１が放送波又は公衆回線網から取得したソフトウェアのプログラムデータによって、外部装置１０のソフトウェアの機能追加、改善ができる。
【００７６】
さらに、接続口２に接続された外部装置１０に対し本体１から充分な電力を供給することができる。このため、消費電力の大きいデータの処理、すなわち容量の大きいデータの処理が行える。
【００７７】
一方、外部装置１０が持つデータを本体１に転送し、利用することができる。例えば、外部装置１０で設定した予約設定を本体１に転送して、本体１に転送できる。
【００７８】
また、外部装置１０が別の手段、例えばセンサ１４によって取得したデータを、本体１へ転送することができる。例えばバーコード情報やＵＲＬ情報を読み取って、本体１に転送できる。
【００７９】
さらに、外部装置１０が本体１から受信したデータに処理を加えたデータを、本体１に転送できる。例えば、本体１から取得した電子番組表を使用して、外部装置１０で視聴や録画予約等を行い、予約情報を本体１に送信するといったことができる。
【００８０】
なお、本発明は、上述した各実施の形態例に限定されるものではなく、例えば本発明の電気機器にＨＤＤ（Hard Disk Drive）レコーダ、ゲーム機を適用するなど、その他本発明の要旨を逸脱しない範囲において、種々の変形、変更が可能であることは勿論である。
【図面の簡単な説明】
【００８１】
【図１】本発明の一実施の形態例に係る機器構成例を示す図（その１）である。
【図２】本発明の一実施の形態例に係る機器構成例を示す図（その２）である。
【図３】本発明の一実施の形態例に係る電気機器（本体）のブロック構成例を示す図である。
【図４】本発明の一実施の形態例に係る外部機器（外部装置）のブロック構成例を示す図である。
【図５】本発明の一実施の形態例に係る本体から外部装置へのデータ転送の一例を示す図である。
【図６】本発明の一実施の形態例に係る外部装置から本体へのデータ転送の一例を示す図である。
【図７】本発明の一実施の形態例に係る外部装置と本体間での双方向通信の一例を示す図である。
【図８】本発明の一実施の形態例に係るソフトウェアアップデート処理を示すシーケンス図である。
【図９】本発明の一実施の形態例に係るソフトウェアアップデート時における各機器の処理を示すフローチャートである。
【符号の説明】
【００８２】
１…本体（電気機器）、２…挿入口（接続口）、３…データ通信用接続部、４…電力供給用接続部、５…赤外線受光部、６…ＬＡＮ、７…接続装置、８…伝送媒体、１０…外部装置（外部機器）、１１…データ通信用接続部、１２…電力供給用接続部、１３…赤外線発光部、１４…センサ、２１…放送波受信装置、２２…ＬＡＮ接続装置、２３…表示装置、２４…入出力Ｉ／Ｆ、２５…電源回路部、２６…不揮発メモリ、２７…揮発メモリ、２８…制御部、２９…情報処理部、３１…キー入力装置、３２…タッチパネル、３３…表示装置、３４…入出力Ｉ／Ｆ、３５…電源回路部、３６…不揮発メモリ、３７…揮発メモリ、３８…制御部、３９…情報処理部
【図１】
2007049619.tif 000003
【図２】
2007049619.tif 000004
【図３】
2007049619.tif 000005
【図４】
2007049619.tif 000006
【図５】
2007049619.tif 000007
【図６】
2007049619.tif 000008
【図７】
2007049619.tif 000009
【図８】
2007049619.tif 000010
【図９】
2007049619.tif 000011